(57)【要約】【課題】紫外線検出部による誤検出を抑えることが可能な炎検出器を提供する。【解決手段】炎から放出される紫外線を検出する紫外線検出部１３と、紫外線検出部１３を収容し、紫外線を紫外線検出部１３に取りこむための窓部２１ｃを有する金属製のケース１２と、窓部２１ｃに配置される紫外線透過ガラス１５とを備える。ケース１２には、紫外線検出部１３による紫外線の検出領域を制限するフード３０が着脱可能に設けられる。【選択図】図１
2016192190.tif 000002
【特許請求の範囲】
【請求項１】
炎から放出される紫外線を検出する紫外線検出部と、該紫外線検出部を収容し、紫外線を前記紫外線検出部に取りこむための窓部を有する金属製のケースと、前記窓部に配置される紫外線透過ガラスと、を備えた炎検出器において、
前記ケースには、前記紫外線検出部による紫外線の検出領域を制限するフードが着脱可能に設けられることを特徴とする炎検出器。
【請求項２】
請求項１に記載の炎検出器において、
前記ケースは、前記窓部を底部に有する有底筒状の本体部と、該本体部内に収容されるとともに前記紫外線透過ガラスを前記本体部の前記底部とで挟持する平板部とを備えたことを特徴とする炎検出器。
【請求項３】
請求項２に記載の炎検出器において、
前記紫外線透過ガラスは、石英ガラスで構成されることを特徴とする炎検出器。
【発明の詳細な説明】
【技術分野】
【０００１】
本発明は、炎から放出される紫外線を検出する紫外線検出部を備えた炎検出器に関するものである。
【背景技術】
【０００２】
炎検出器は、炎から放出される紫外線を紫外線検出部によって検出して、炎の監視を可能とするものである（例えば、特許文献１参照）。
【先行技術文献】
【特許文献】
【０００３】
【特許文献１】特許第３０８９５７４号公報
【発明の概要】
【発明が解決しようとする課題】
【０００４】
ところで、上記のような炎検出器の紫外線検出部は、例えば、特定場所の炎のみを検出したい場合（トイレの個室１つずつ、水素ステーション敷地内のみで道路などは検出したくない場合など）に、使用されることがあるが、検出範囲の絞込みができず特定場所の炎のみを検出することが難しかった。
【０００５】
本発明は、上記課題を解決するためになされたものであって、その目的は、特定場所の炎のみを検出可能な炎検出器を提供することにある。
【課題を解決するための手段】
【０００６】
上記課題を解決する炎検出器は、炎から放出される紫外線を検出する紫外線検出部と、該紫外線検出部を収容し、紫外線を前記紫外線検出部に取りこむための窓部を有する金属製のケースと、前記窓部に配置される紫外線透過ガラスと、を備えた炎検出器において、前記ケースには、前記紫外線検出部による紫外線の検出領域を制限するフードが着脱可能に設けられる。
【０００７】
この構成によれば、紫外線検出部による紫外線の検出領域を制限するフードが着脱可能に設けられるため、例えば、フードを取り付けることで紫外線の検出領域を制限させることで、監視対象である炎から放出される紫外線のみを検出することが可能となる。
【０００８】
上記炎検出器において、前記ケースは、前記窓部を底部に有する有底筒状の本体部と、該本体部内に収容されるとともに前記紫外線透過ガラスを前記本体部の前記底部とで挟持する平板部とを備えることが好ましい。
【０００９】
この構成によれば、紫外線透過ガラスが本体部の底部と平板部との間で挟持される構成であるため、紫外線透過ガラス自体に穴やその他の加工を行わずともケースに対して固定することができる。
【００１０】
上記炎検出器において、前記紫外線透過ガラスは、石英ガラスで構成されることが好ましい。
この構成によれば、紫外線透過ガラスは、石英ガラスで構成されるため、人工サファイアなどと比べて比較的安価に紫外線透過ガラスを構成できる。
【発明の効果】
【００１１】
本発明の炎検出器によれば、紫外線検出部による誤検出を抑えることが可能となる。
【図面の簡単な説明】
【００１２】
【図１】一実施形態における炎検出器のフードを取り付けた状態を示す断面図。
【図２】同上における炎検出器のフードを取り外した状態を示す断面図。
【発明を実施するための形態】
【００１３】
以下、炎検出器の一実施形態について、図面を参照しながら説明する。
図１及び図２に示すように、炎検出器１１は、金属製ケース１２内に紫外線検出部１３を有する回路部１４と、略円盤状の紫外線透過ガラス１５と、略円盤状の緩衝部材１６とが収容される。
【００１４】
ケース１２は、略有底円筒状の本体部２１と、本体部２１に収容される平板部２２と、本体部２１の開口部２１ａを閉塞する蓋部２３とを有する。
本体部２１はその底部２１ｂに窓部２１ｃを有する。窓部２１ｃを閉塞するように紫外線透過ガラス１５が設けられる。紫外線透過ガラス１５は、緩衝部材１６を介して平板部２２と底部２１ｂとの間に挟持されるようになっている。平板部２２は、ボルトＢ１を挿通（螺入）可能なネジ孔２２ａが形成される。このボルトＢ１は、前記ネジ孔２２ａ及び緩衝部材１６のネジ孔１６ａ及び底部２１ｂに形成されたネジ孔２１ｄに挿通されて、紫外線透過ガラス１５を底部２１ｂと平板部２２（緩衝部材１６）との間で挟持している。紫外線透過ガラス１５はこのように、底部２１ｂと平板部２２（緩衝部材１６）との間で挟持されることで、防爆性能が保たれる。また、紫外線透過ガラス１５は底部２１ｂによってケース１２の前面から奥まった位置に配置されるため、紫外線透過ガラス１５が強い衝撃によって破損した場合であっても、外部に飛散しにくくなっている。ここで、紫外線透過ガラス１５は、防爆性を高めるために、十分な厚みを有する構成となっている。
【００１５】
蓋部２３は、本体部２１の開口部２１ａに対してボルトＢ２によって開口部２１ａを閉塞するように固定される。
図１に示すように、本体部２１の底部２１ｂの前面２１ｅには円盤状の前面部材２４が本体部２１に対してボルトＢ３によって固定されている。前面部材２４は、前記本体部２１の窓部２１ｃと略同程度、開口されている。この開口の周縁にはネジ孔２４ａが形成されており、このネジ孔２４ａに対してフード３０をボルトＢ４によって取り付けることが可能となっている。フード３０は、略円筒状をなすように形成され、その前面開口部３０ａには紫外線透過ガラス３１が取着されている。この紫外線透過ガラス３１も紫外線透過ガラス１５と同様に石英ガラスで構成される。なお、紫外線透過ガラス３１は、前記紫外線透過ガラス１５よりもその厚さが薄い構成となっている。
【００１６】
回路部１４は、前記平板部２２の裏面から立設されるスペーサ部材４１に取り付けられている。この回路部１４は、外部からの電源供給に駆動されるものであり、回路部１４にはケーブルＣが接続され、蓋部２３に取着されたケーブル引出部５１まで取り回されている。
【００１７】
次に、上記のように構成された炎検出器の作用について説明する。
図２に示すように本実施形態の炎検出器１１は、フード３０（図１参照）を取り外した状態では、窓部２１ｃの開口面積に準ずる検出範囲θ１で紫外線を検出することができるようになっている。また、炎検出器１１は、フード３０を取り付けた状態では、フード３０の前面開口部３０ａに準ずる検出範囲θ２で紫外線を検出することができるようになっている。ここで、検出範囲θ１＞検出範囲θ２の関係となっている。即ち、フード３０を取り付けることで検出領域を制限することができるため、不要な検出領域を発生させることを抑えることができ、誤検出の発生を抑えることができるようになっている。
【００１８】
次に、本実施形態の効果を記載する。
（１）紫外線検出部１３による紫外線の検出領域を制限するフード３０が着脱可能に設けられる。また、フード３０を高さが異なるように複数種類用意することで紫外線の検出領域のみを検出することが可能となる。
【００１９】
（２）紫外線透過ガラス１５が本体部２１の底部２１ｂと平板部２２との間で挟持される構成であるため、紫外線透過ガラス１５自体に穴やその他の加工を行わずともケース１２に対して固定することができる。また、平板部２２と紫外線透過ガラス１５との間に緩衝部材１６を設けているため、紫外線透過ガラス１５に対して過度な負荷を与えることを抑えることができる。時に、紫外線透過ガラス１５に石英ガラスを用いると割れやすいため、緩衝部材１６を用いることで、紫外線透過ガラス１５の破損が防止され、防爆性を保つことができる。
【００２０】
（３）紫外線透過ガラス１５は、石英ガラスで構成されるため、人工サファイアと比べて比較的安価に紫外線透過ガラス１５を構成できる。
なお、上記実施形態は、以下のように変更してもよい。
【００２１】
・上記実施形態では、紫外線透過ガラス１５及び紫外線透過ガラス３１を石英ガラスで構成したが、いずれか一方を人工サファイア等の他の部材で構成したり、両方を人工さあファイア等の他の部材で構成してもよい。
【００２２】
・上記実施形態では、紫外線透過ガラス１５は、本体部２１の底部２１ｂと平板部２２との間で挟持によって固定する構成としたが、その固定方法はこれに限らない。
・上記実施形態では、円筒状のフード３０を設ける構成としたが、フード自身にスライド機構を有して長さ（高さ）調整が可能な構成を採用してもよい。その一例としては、円筒状の第１円筒部の外周面にねじ溝を形成し、そのねじ溝に螺合するねじ溝を内周面に有する第２円筒部とを螺合させることでスライド可能な構成が考えられる。
【００２３】
・上記実施形態では、フード３０に対して紫外線透過ガラス３１を設ける構成としたが、紫外線透過ガラス３１を省略する構成を採用してもよい。
・上記実施形態並びに各変形例は適宜組み合わせてもよい。
【符号の説明】
【００２４】
１１…炎検出器、１３…紫外線検出部、１２…ケース、１５…紫外線透過ガラス、２１…本体部、２１ｂ…底部、２１ｃ…窓部、２２…平板部、３０…フード。
【図１】
2016192190.tif 000003
【図２】
2016192190.tif 000004